(57)【要約】      （修正有）【課題】任意で好みの高さで使うことができる台所の三角コーナーを提供する。【解決手段】台所のシンク内の衛生面と使いやすさを重視した考えで、三角コーナーを二重構造式にして伸縮自在とし高さ調節で洗い水の侵入を防ぎ、更に開口口６を小さくし清潔を保つために全国で大量に消費される買い物レジ袋そしてＳサイズレジ袋やレジロールポリ袋等の小型サイズの袋まで幅広く再利用を考えた、置き型で高さが上下に伸縮自在ができる二重構造の三角コーナーである。【選択図】図１
2017124931.tif 000002
【特許請求の範囲】
【請求項１】
台所で調理した時に出る生鮮食用品の生ゴミなどを一時的に保管し処分するための容器であってステンレス・シンク内のコーナーにフィットした外側本体と内側本体の二重構造を設け合体することで片側一方の本体が上下に移動ができ好きな位置で自由に停止させ伸縮自在を特徴とする伸縮自在三角コーナー。
【請求項２】
前記本体伸縮自在三角コーナーの底面は排水孔を設け開口部の大きさは、スーパーマーケット等の生鮮食品売場で液だれ防止用無料サービスの通称レジロールポリ袋（２０００枚巻）に合わせた開口口寸法で二重構造の片方を任意で高さ調整をし、レジロールポリ袋がスッポリと収め折り返しをすることで薄いポリ袋が確りと固定され、高さ調整でシンク内での洗い水等の侵入を防ぐことができるのは二重の本体構造を設けたことを特徴とする請求項１に記載の伸縮自在三角コーナー。
【請求項３】
前記本体伸縮自在三角コーナーを一番低くした状態での高さは既存の三角コーナーと同等で開口部と内容積も小さいが本体の二重構造の片方を任意で伸ばすことで内容積が倍かされ通常の生ゴミ処理に希少を来たさないのは二重の本体構造を設けたことを特徴とする請求項１に記載の伸縮自在三角コーナー。
【発明の詳細な説明】
【技術分野】
【０００１】  本発明は、三角コーナーに関するものである。
【背景技術】
【０００２】  台所シンク内のコーナーに置いて生鮮食品の生ゴミを一時的に保管し処理容器として使われている。
【先行技術文献】
【０００３】
【特許文献】
【発明の概要】
【発明が解決しようとする課題】
【０００４】  一般家庭の台所シンク内に置かれている三角コーナーの開口部はスーパーマーケットの液だれ防止用無料サービスのレジロールポリ袋よりも大きく高さもシンクの深さより低いのが一般的でレジロールポリ袋の開口口に合わせたものではない、本考案は生ゴミ処理を簡単清潔にそして衛生面を考慮しレジロールポリ袋の開口口に合わせた開口部のため伸縮を下段まで下げると高さがシンク内に収まるが容積が小さくなり、生ゴミの処理容量も劣るが三角コーナー本体が二重構造のため片方を引き出し、高さを調節することで多量の生ゴミが出ても一般的な三角コーナーと同等以上に解決することが可能である
【課題を解決するための手段】
【０００５】  一般家庭の台所シンク内に置かれている三角コーナーは、二重構造で伸縮する物はなく一定の高さに固定されているため任意で好みの高さで使うことができない。
本案の三角コーナーの底面は排水孔を有し、外側本体と内側本体の二重構造本体で構成され内側でも外側でも一方が固定され、片方が使用者の任意で上下に移動させることができ、任意の上下位置止用に外側面と内側面の本体の壁面に複数の凹凸面を有し、凹凸面が合体した状態で好みの位置を固定する二重構造を設けた伸縮自在三角コーナーである。
【発明の効果】
【０００６】  一般家庭の台所シンク内に置かれている三角コーナーは生鮮食品の生ゴミを一時的に保管して処理する容器であります、特に魚やイカ等の腸等の内蔵や動物の脂身等の脂肪部分は容器全体を汚し水かけ洗いだけでは底面の排水孔等にへばりついたヌメリ等は腐敗の原因となりますが毎回ブラシに洗剤を付けて洗うことなどできないのが現状です。
本考案は、通常の三角コーナーと高さは同等であるが開口口部分と処理容積部分も小さいが、スーパーマーケット等の生鮮食品売り場で液だれ防止用無料サービスの通称レジロールポリ袋（２０００枚巻）に合わせた開口口寸法であり、この薄いポリ袋も再利用できることで、最小のレジ袋やビニ袋にも対応が可能となり調理で出たイカ墨や内蔵の生臭い脂質物でも三角コーナーを汚すことなく衛生的にエコで清潔な生鮮食品の生ゴミ処理ができるが、生ゴミ処理容積が小さいので多めの生ゴミが出るときは二重構造をした本体の片方を任意で引き伸ばし生ゴミ処理容量の調整を図ることができる。
【図面の簡単な説明】
【０００７】
【図１】伸縮自在三角コーナー内側本体が縮んだ状態の外観透視図である。
【図２】伸縮自在三角コーナー内側本体が伸びた状態の外観透視図である。
【図３】伸縮自在三角コーナー本体にレジロールポリ袋をセットした状態の透視図である。
【図４】伸縮自在三角コーナー内側外側本体の凹凸面部合体の透視断面図である。
【図５】レジロールポリ袋である。
【発明を実施するための最良の形態】
【０００８】  以下に本考案の実施の形態を添付した図面を参照にして詳細に説明する。
図１は本考案の伸縮自在三角コーナー外側本体２の内側には内側本体４を有し、伸縮させるには底部を手で抑え内側本体４を引いたり押したりして高さを調整する。１図は内側本体４を最小限度まで縮ませた状態の外側本体２と内側本体４の透視図を示している。
本案の伸縮自在三角コーナーには外側本体２には開口口６と６ａ、脚部８と８ａ、凸面部１０と１０ａ、排水孔１４と１４ａを示し内側本体４には開口口６と６ａ、凹面部１２と１２ａから構成されている。【０００９】  本考案の１図、２図で示した伸縮自在三角コーナーは一般的な三角コーナーと同様に使用することも可能である。本考案の使用目的は衛生面に敏感な国民性に特化したものかもしれないが日本全国のスーパーマーケット生鮮食品売場で毎日使われている液だれ防止用レジロールポリ袋の膨大な消費数量を考えると図５のレジロールポリ袋１６と図３のレジロールポリ袋１６ａ等を再使用することで清潔で衛生面を確保し伸縮自在三角コーナー本体内を汚すことなく毎回洗浄する手間と時間短縮を示すことができる。【００１０】  本考案を１図の内側本体４と４ａを最小限度に縮小させた状態でも、５図のレジロールポリ袋１６を使うことは良いが、外側本体２と２ａの高さ寸法は調理のシンクの深さよりもよりも低いためシンクのコーナーに置いても食器洗いの水が跳ねて混入する恐れがある、又一般的な三角コーナーも高さが低いため同様である。小型のシンクスペースでも本考案の伸縮自在三角コーナーは内側本体４と４ａの高さ調節することで水の混入を防ぐことができることを示している。【００１１】  本考案の伸縮自在三角コーナーの高さ調節するには外側本体２と２ａの下部を抑えて内側本体４と４ａを引き上げることで上昇し又押すことで下げることができ、停止位置には４図の内側本体４ａには複数の凹面部１２ａを有し、外側本体２ａには１個〜２個の凸面部１０ａを有し、凹凸面部が合体したところが内側本体４ａの停止位置となることを示した透視断面図である。【００１２】  本考案１図の開口口６と２図の開口口６ａと３図の開口口６ａと４図の開口口６ａは５図のレジロールポリ袋１６のサイズに合わせた口径のため一般的な置き型三角コーナーよりも開口口６ａの口径が小さく、液だれ防止用のレジロールポリ袋１６ａの先端を折り返すことで固定することができ更にスーパーやコンビニ等いろいろな店で買い物をすると付いてくるＳサイズのレジ袋でも対応が可能であり、当然大きめのサイズのポリ袋やビニ袋まで幅広く使うことができる口径にした開口口６ａで示した３図の透視図である。【００１３】  本考案１図の開口口６と２図の開口口６ａと３図の開口口６ａと４図の開口口６ａが示す様に開口口の口径が小さいため内側本体４を下げたとき、一般的な置き型三角コーナーは生ゴミ処理容量スペースが広いが２図及び３図の内側本体４ａを簡単に高さ調節で引き伸ばすことにより、生ゴミ処理容量スペースは格段と広くなりこの問題を解決することができる。【００１４】  本考案の目的は調理場で生ゴミを一時的に保管処理するためシンクの隅に置く三角コーナーに生ゴミを直接入れた時、又５図のレジロールポリ袋１６に穴が空き液だれしたときは１図の底面に配置した複数の排水孔１４と２図の排水孔１４ａからシンクに流れ落ちるが、洗浄を怠ると雑菌が繁殖して不衛生な環境になります、５図のレジロールポリ袋１６やレジ袋、ビニ袋等を使用するときは穴の有無を確認することが大切で、液だれには注意し本案の伸縮自在三角コーナーが目指す目的は膨大な量を消費しているレジロールポリ袋１６だけではなく再利用できるレジ袋やビニ袋等を活用し雑菌、細菌等のいない台所で清潔で衛生的な調理場を確保することにある。【００１５】  本考案５図レジロールポリ袋１６は主に全国の生鮮食品店やスーパーマーケット等の食品売り場で置かれている無料サービス品で通称液だれ防止用のレジロールポリ袋１６で寸法は高さ約３４ｃｍ横約２３ｃｍ厚さ０，０１ｍｍ、巻数２０００枚のポリ袋で食料品を買った方は必要に応じて自由に何枚でも使うことができます、全国規模で食料品購入者数を考えたら毎日数百万人から数千万人の方が食品を購入しその度にレジロールポリ袋１６を消費していると考えられます、レジロールポリ袋１６だけでも大規模な数ですが、更に全国のコンビニエンスストア等ではお弁当やおにぎりを購入すると付いてくるＳサイズレジ袋まで考えると大規模な数量となりプラスチックゴミとして同上袋を処分する前に袋の寸法に合わせた開口口の口径で再使用を考えた二重構造式上下伸縮自在の三角コーナーで生ゴミ処理用に再使用することで手も汚すことなく衛生的で台所環境に優しいエコロジーを取り入れた伸縮自在三角コーナーである。
【符号の説明】
【００１６】２      外側本体
２ａ    外側本体
４      内側本体
４ａ    内側本体
６      外内側本体開口口
６ａ    外内側本体開口口
８      脚部
８ａ    脚部
１０    凸面部
１０ａ  凸面部
１２    凹面部
１２ａ  凹面部
１４    水切り孔
１４ａ  水切り孔
１６    レジロールポリ袋
１６ａ  レジロールポリ袋
【図１】
2017124931.tif 000003
【図２】
2017124931.tif 000004
【図３】
2017124931.tif 000005
【図４】
2017124931.tif 000006
【図５】
2017124931.tif 000007